(57)【要約】【課題】本発明は、光の均一性を向上することができるバックライトモジュール及びそれを用いた表示装置を提供する。【解決手段】本発明に係るバックライトモジュールは、導光板及び複数の光源を備える。導光板は、光源に隣接する第一表面及び第一表面から突出する複数の突出部を備え、突出部は、光源に対応して設置され、光源に対応する第二表面を有し、第二表面には、光源から出射された後に第二表面を介して導光板内へと入射する光の発散角を増加させるための複数の微細構造が設けられている。【選択図】図２
2015037082.tif 000002
【特許請求の範囲】
【請求項１】
導光板及び複数の光源を備えるバックライトモジュールにおいて、前記導光板は、前記光源に隣接する第一表面及び第一表面から突出する複数の突出部を備え、前記突出部は、前記光源に対応して設置され、前記光源に対応する第二表面を有し、前記第二表面には、前記光源から出射され且つ前記第二表面を介して前記導光板内に入射する光の発散角を増加させるための複数の微細構造が設けられていることを特徴とするバックライトモジュール。
【請求項２】
前記第二表面には、前記導光板の内部に向けて窪んだ凹部が形成されており、前記微細構造は、前記凹部内に形成され、前記光源は、一部分又は全ての部分が前記凹部内に収容されることを特徴とする請求項１に記載のバックライトモジュール。
【請求項３】
表示パネル及び前記表示パネルに光源を提供するためのバックライトモジュールを備え、前記バックライトモジュールは、導光板及び複数の光源を備える、表示装置において、前記導光板は、前記光源に隣接する第一表面及び第一表面から突出する複数の突出部を備え、前記突出部は、前記光源に対応して設置され、前記光源に対応する第二表面を有し、前記第二表面には、前記光源から出射された後に前記第二表面を介して前記導光板内へと入射する光の発散角を増加させるための複数の微細構造が設けられていることを特徴とする表示装置。
【発明の詳細な説明】
【技術分野】
【０００１】
本発明は、バックライトモジュール及びこれを用いた表示装置に関するものである。
【背景技術】
【０００２】
液晶ディスプレイのバックライトモジュールは、一般的に、導光板及び複数の光源を備える。この複数の光源は、導光板の光入射面に対向して設置されている。バックライトモジュールから出射された光の均一性を向上させるために、一般的には、光源と導光板の光入射面との間には、一定の距離が設けられている。しかし、液晶ディスプレイの体積の薄型化及びフレーム幅を狭くする要求を満たすために、光源と導光板の光入射面との間の距離を小さくしなければならないため、バックライトモジュールから出射された光の均一性は低減される。
【発明の概要】
【発明が解決しようとする課題】
【０００３】
前記課題を解決するために、本発明は、光の均一性を向上することができるバックライトモジュール及びこれを用いた表示装置を提供する。
【課題を解決するための手段】
【０００４】
本発明に係るバックライトモジュールは、導光板及び複数の光源を備える。導光板は、光源に隣接する第一表面及び第一表面から突出する複数の突出部を備え、突出部は、光源に対応して設置され、光源に対応する第二表面を有し、第二表面には、光源から出射された後に第二表面を介して導光板内へと入射する光の発散角を増加させるための複数の微細構造が設けられている。
【０００５】
本発明に係る表示装置は、表示パネル及び前記表示パネルに光源を提供するためのバックライトモジュールを備える。バックライトモジュールは、導光板及び複数の光源を備え、該導光板は、光源に隣接する第一表面及び第一表面から突出する複数の突出部を備え、突出部は、光源に対応して設置され、光源に対応する第二表面を有し、第二表面には、光源から出射された後に第二表面を介して導光板内へと入射する光の発散角を増加させるための複数の微細構造が設けられている。
【発明の効果】
【０００６】
従来の技術と比べて、本発明のバックライトモジュール及び表示装置では、微細構造が、光源から出射された後に導光板内へと入射する光の発散角を増加させることができ、突出部が、隣接する光源から出射される光の交差位置を更に光源に近づけることができる。従って、バックライトモジュールから出射される光の均一性を向上することができる。
【図面の簡単な説明】
【０００７】
【図１】本発明の第一実施形態に係るバックライトモジュールの斜視図である。
【図２】図１に示したバックライトモジュールのＩＩ−ＩＩ線に沿う断面図である。
【図３】本発明の第二実施形態に係るバックライトモジュールの斜視図である。
【図４】図３に示したバックライトモジュールのＩＶ−ＩＶ線に沿う断面図である。
【発明を実施するための形態】
【０００８】
以下、図面を参照して、本発明の実施形態について説明する。
【０００９】
図１及び図２を参照すると、本発明の第一実施形態に係るバックライトモジュール１００は、表示装置（図示せず）の中に応用され、導光板１０及び複数の光源２０を備える。本実施形態において、光源２０は、発光ダイオード（ＬＥＤ）である。
【００１０】
導光板１０は、略矩形状を呈し、光源２０に隣接する第一表面１１及び第一表面１１から突出する複数の突出部１２を備える。複数の突出部１２は、等間隔に設置され且つ１つの光源２０に対応してそれぞれ設置されている。また、突出部１２は、光源２０に対応して位置する第二表面１２１を有し、且つその幅は、光源２０の幅より大きい。突出部１２の厚さは、バックライトモジュール１００のサイズ及び光源２０と導光板１０との間の距離等に応じて設定しても良い。第二表面１２１には、第二表面１２１を介して導光板１０へと入射する光の発散角を増加させるための複数の微細構造１３が設けられている。本実施形態において、この微細構造１３は、断面が円弧状を呈する溝であり、且つレーザやエッチング等の方式によって形成される。他の実施形態において、微細構造１３は、サンドブラスト、柱状の凸部或いは球面状の凹部であっても良い。
【００１１】
本発明のバックライトモジュール１００では、光源２０と導光板１０の第一表面１１との間に突出部１２が設置されているので、光源２０から出射された光は、突出部１２の第二表面１２１に達する際に屈折し、突出部１２の第二表面１２１の微細構造１３は、光源２０から出射された後に導光板１０内へと入射する光の発散角を増加することができる。また、突出部１２は、隣接する光源２０から出射される光の交差位置を更に光源２０に近づけることができる。これにより、バックライトモジュール１００から出射される光の均一性を向上することができる。
【００１２】
図３及び図４を参照すると、本発明の第二実施形態に係るバックライトモジュール５００は、導光板５０及び複数の光源６０を備える。導光板５０は、光源６０に隣接する第一表面５１及び第一表面５１から突出する複数の突出部５２を備える。各突出部５２は、１つの光源６０に対応して設置されている。また、突出部５２は、光源６０に対応して位置する第二表面５２１を有する。第二表面５２１には、さらに、導光板５０の内部に向けて窪んだ凹部５３が形成されている。凹部５３の形状は、光源６０の形状に応じて設定してもよい。これにより、光源６０は、一部分又は全ての部分が凹部５３内に収容されることができる。従って、バックライトモジュール１００のサイズを小さくすることができる。凹部５３の表面には、光源６０から出射された後に導光板５０へと入射する光の発散角を増加させるための複数の微細構造５４が設けられている。
【符号の説明】
【００１３】
１００、５００  バックライトモジュール
１０、５０  導光板
１１、５１  第一表面
１２、５２  突出部
１２１、５２１  第二表面
１３、５４  微細構造
５３  凹部
２０、６０  光源
【図１】
2015037082.tif 000003
【図２】
2015037082.tif 000004
【図３】
2015037082.tif 000005
【図４】
2015037082.tif 000006